(57)【要約】【課題】  化学兵器由来の有機砒素化合物を含有する水を、砒素濃度に関係なく低コストで、人体に無害なレベルにまで分解可能な処理方法を提供する。【解決手段】  ジフェニルクロロアルシン（ＤＡ）、ジフェニルシアノアルシン（ＤＣ）、ビスフェニルアルシンオキサイド（ＢＤＰＡＯ）、ジフェニルアルシン酸（ＤＰＡＡ）およびフェニルアルソン酸（ＰＡＡ）から選択される有機砒素化合物を一種以上含んだ有機砒素化合物含有水１の処理方法において、前記有機砒素化合物含有水１を濃縮手段２により濃縮して、有機砒素濃縮水３と無害化水４とに分離する第１段階と、次に、前記有機砒素濃縮水３を酸化剤を用いた化学的酸化手段５によって、処理温度７５〜１００℃の範囲で酸化分解する第２段階とからなる有機砒素化合物含有水の処理方法。【選択図】        図１
2007038113.tif 000002
【特許請求の範囲】
【請求項１】
下記化学構造式（１）乃至（５）で夫々表されるジフェニルクロロアルシン（ＤＡ）、ジフェニルシアノアルシン（ＤＣ）、ビスフェニルアルシンオキサイド（ＢＤＰＡＯ）、ジフェニルアルシン酸（ＤＰＡＡ）およびフェニルアルソン酸（ＰＡＡ）から選択される有機砒素化合物を一種以上含んだ有機砒素化合物含有水の処理方法において、前記有機砒素化合物含有水を濃縮手段により濃縮して、有機砒素濃縮水と無害化水とに分離する第１段階と、次に、前記有機砒素濃縮水を酸化剤を用いた化学的酸化手段によって、処理温度７５〜１００℃の範囲で酸化分解する第２段階とからなることを特徴とする有機砒素化合物含有水の処理方法。
【化１】
2007038113.tif 000009
【化２】
2007038113.tif 000010
【化３】
2007038113.tif 000011
【化４】
2007038113.tif 000012
【化５】
2007038113.tif 000013
【請求項２】
前記濃縮手段が凝集沈殿法であることを特徴とする請求項１に記載の有機砒素化合物含有水の処理方法。
【請求項３】
前記濃縮手段が逆浸透膜分離法であることを特徴とする請求項１に記載の有機砒素化合物含有水の処理方法。
【請求項４】
前記酸化剤が下記のＡとＢの両者からなることを特徴とする請求項１に記載の有機砒素化合物含有水の処理方法。
Ａ．過硫酸ナトリウム
Ｂ．アルカリ金属の水酸化物水溶液またはアルカリ土類金属の水酸化物水溶液
【請求項５】
前記酸化剤が過酸化水素と二価の鉄イオンの両者からなることを特徴とする請求項１に記載の有機砒素化合物含有水の処理方法。
【発明の詳細な説明】
【技術分野】
【０００１】
本発明は、有機砒素化合物を含有する水、特に化学兵器由来の有機砒素化合物を含有する水を分解する処理方法に関する。
【背景技術】
【０００２】
化学兵器に使用されている有機砒素化合物、即ち、下記化学構造式（１）乃至（５）で夫々表されるジフェニルクロロアルシン（ＤＡ）、ジフェニルシアノアルシン（ＤＣ）およびこれらの分解生成物であるビスフェニルアルシンオキサイド（ＢＤＰＡＯ）、ジフェニルアルシン酸（ＤＰＡＡ）、フェニルアルソン酸（ＰＡＡ）等は、その毒性の高さとともに生体残留性の高いことが問題となっている。
【化６】
2007038113.tif 000003
【化７】
2007038113.tif 000004
【化８】
2007038113.tif 000005
【化９】
2007038113.tif 000006
【化１０】
2007038113.tif 000007
【０００３】
このような化学兵器由来の有機砒素化合物は低濃度でも人体への影響が大きく、例えば、ジフェニルアルシン酸（ＤＰＡＡ）等が地下水中に流出した場合、周囲への環境被害は甚大となることが予想されている。
【０００４】
即ち、これら化学兵器由来の有機砒素化合物は、低濃度でも人体へ摂取された場合、言語障害やバランスよく歩けない共調運動障害、立って真っ直ぐに歩けない起立歩行障害等の運動障害を引き起こすとされており、遺伝子障害等の後遺症が残る恐れもある。従って、地下に流出して地下水に混入し汚染水を生成した場合、有機砒素濃度が非常に低くても汚染水を無害化処理する必要性が生じる。
【０００５】
化学兵器由来に限らず、このような砒素含有水の従来の一般的処理方法として、例えば、砒素含有の被処理水に、ｐＨ３〜６の条件下でポリ硫酸第二鉄を添加して、水酸化第二鉄の凝集物を形成させる沈殿法による砒素含有水の処理方法がある（特許文献１参照）。
【０００６】
そして、上記沈殿法によって形成された上澄み液を酸化処理することによって、その上澄み液を環境基準値である無機砒素濃度０．０１ｍｇ／リットル（以下、Ｌと記載）以下にすることは可能であるが、本発明の処理対称とするジフェニルアルシン酸（ＤＰＡＡ）等の有機砒素化合物の無害化には効果が小さいという問題点がある。
【０００７】
また、化学兵器由来に限定されない有機砒素を含んだ土壌の処理方法としては、この砒素含有の土壌を酸化剤を用いて酸化処理を行った後、不溶化剤を混合することにより土壌中の有機砒素を難溶性の形態に変えて不溶化処理を行う処理方法がある（特許文献２参照）。そして、この従来例によれば、前記酸化処理において鉄イオンを添加して沈殿処理することにより、有機砒素濃度０．００５ｍｇ／Ｌ程度以下までの処理が可能である。
【０００８】
このような化学的酸化法は、有機砒素濃度が高い汚染水や土壌に対しては有効であるが、上記沈殿法と同様、室温では化学兵器由来の有機砒素化合物のような毒性の強い物質を、人体に無害なレベルまで分解することは困難である。更に、有機砒素濃度の希薄な汚染水に対しては効果が小さいという問題もあって、結局、有機砒素処理量当りの酸化剤が多量に必要となり、処理コストが高くなる。
【０００９】
そこで、このような化学兵器由来の有機砒素化合物含有水の分解技術として、促進酸化法といわれる処理方法が検討されている。この処理方法は、被処理水にオゾンを混入し、このオゾン水に紫外線を照射してヒドロキシルラジカルを生成し、その酸化力によって化学兵器由来の有機砒素化合物を酸化分解する方法である。
【００１０】
上記促進酸化法によれば、有機砒素濃度が数１０ｍｇ／Ｌ程度までの希薄な汚染水に対して効果的であり、人体に無害と考えられる０．００１ｍｇ／Ｌ以下の有機砒素濃度にまで分解可能である。
【００１１】
ところが、この促進酸化法においては、数１０ｍｇ／Ｌ以上の高濃度有機砒素含有水の処理は困難である。更に、ＳＳ（浮遊物質）の濃度が１００ｍｇ／Ｌを越えるような水では紫外線の透過が阻害されるため、有機砒素化合物の分解が困難である。また、濃度の希薄な有機砒素含有水においても、処理水の水量がそのまま無機砒素廃液となってしまい、廃液処理コストが高くなる問題がある。
【特許文献１】特開２００４−２９０７７７号公報
【特許文献２】特開２００１−３２１７６１号公報
【発明の開示】
【発明が解決しようとする課題】
【００１２】
即ち、上述した沈殿法や化学的酸化法では、室温では化学兵器由来の有機砒素化合物のような毒性の強い物質を、人体に無害なレベルまで分解することは困難であり、有機砒素濃度の希薄な汚染水に対しても効果が小さいという問題もあって、結局、有機砒素処理量当りの凝集剤や酸化剤が多量に必要となり、処理コストが高くなる。
【００１３】
一方、促進酸化法においては、有機砒素濃度が数１０ｍｇ／Ｌ以上の高濃度の有機砒素含有水の処理は困難である。更に、ＳＳ（浮遊物質）の濃度が１００ｍｇ／Ｌを越えるような水では紫外線の透過が阻害されるため、有機砒素化合物の分解が困難である。また、濃度の希薄な有機砒素含有水においては、処理対象の原水水量がそのまま無機砒素廃液となってしまい、廃液処理コストが高くなる問題がある。
【００１４】
従って、本発明の目的は、化学兵器由来の前記有機砒素化合物を含有する水を、砒素濃度に関係なく低コストで、人体に無害なレベルにまで分解可能な処理方法を提供することにある。
【課題を解決するための手段】
【００１５】
前記目的を達成するために、本発明の請求項１に係る有機砒素化合物含有水の処理方法が採用した手段は、前記の化学構造式（１）乃至（５）で夫々表されるジフェニルクロロアルシン（ＤＡ）、ジフェニルシアノアルシン（ＤＣ）、ビスフェニルアルシンオキサイド（ＢＤＰＡＯ）、ジフェニルアルシン酸（ＤＰＡＡ）およびフェニルアルソン酸（ＰＡＡ）から選択される有機砒素化合物を一種以上含んだ有機砒素化合物含有水の処理方法に関するものである。
【００１６】
そして、この処理方法において、前記有機砒素化合物含有水を濃縮手段により濃縮して、有機砒素濃縮水と無害化水とに分離する第１段階と、次に、前記有機砒素濃縮水を酸化剤を用いた化学的酸化手段によって、処理温度７５〜１００℃の範囲で酸化分解する第２段階とからなることを特徴とするものである。
【００１７】
本発明の請求項２に係る有機砒素化合物含有水の処理方法が採用した手段は、請求項１項記載の有機砒素化合物含有水の処理方法において、前記濃縮手段が凝集沈殿法であることを特徴とするものである。
【００１８】
本発明の請求項３に係る有機砒素化合物含有水の処理方法が採用した手段は、請求項１項記載の有機砒素化合物含有水の処理方法において、前記濃縮手段が逆浸透膜分離法であることを特徴とするものである。
【００１９】
本発明の請求項４に係る有機砒素化合物含有水の処理方法が採用した手段は、請求項１項記載の有機砒素化合物含有水の処理方法において、前記酸化剤が下記のＡとＢの両者からなることを特徴とするものである。
Ａ．過硫酸ナトリウム
Ｂ．アルカリ金属の水酸化物水溶液またはアルカリ土類金属の水酸化物水溶液
【００２０】
本発明の請求項５に係る有機砒素化合物含有水の処理方法が採用した手段は、請求項１項記載の有機砒素化合物含有水の処理方法において、前記酸化剤が過酸化水素と二価の鉄イオンの両者からなることを特徴とするものである。
【発明の効果】
【００２１】
本発明の請求項１に係る有機砒素化合物含有水の処理方法によれば、化学兵器由来の前記有機砒素化合物含有水を濃縮手段により濃縮して、有機砒素濃縮水と無害化水とに分離する第１段階の濃縮処理によって大部分の水は無害な水となる。そして、第２段階で、前記有機砒素を多量に含有した濃縮水を、加温下の化学的酸化手段によって砒素が無機化するため、有機砒素化合物を含む全量の水の毒性を確実に除去することができる。
【００２２】
また、前記第１段階の濃縮処理によって分離された濃縮水の量は、濃縮処理前の原水量の１／１０〜１／１００の水量に低減されるため、第２段階における濃縮水の加熱エネルギーも、直接原水を加熱して酸化分解する場合に比較して１／１０〜１／１００のエネルギー量に低減され、同様に化学的酸化処理に要する酸化剤コストも大幅に低減できるのである。
【００２３】
更に、本発明の請求項２および３に係る有機砒素化合物含有水の処理方法によれば、前記有機砒素化合物含有水を濃縮する上で、有効な濃縮手段を具体的に特定した。
【００２４】
更にまた、本発明の請求項４および５に係る有機砒素化合物含有水の処理方法によれば、前記有機砒素濃縮水を化学的酸化処理する上で、有効な酸化剤を具体的に特定した。
【発明を実施するための最良の形態】
【００２５】
先ず、本発明の形態に係る有機砒素化合物含有水の処理方法を、そのフロー図である図１を用いて以下に説明する。
【００２６】
図１において、符号１は有機砒素化合物含有水（原水）を示しており、本発明においては、化学兵器に使用されている前記の化学構造式（１）乃至（５）で夫々表されるジフェニルクロロアルシン（ＤＡ）、ジフェニルシアノアルシン（ＤＣ）、ビスフェニルアルシンオキサイド（ＢＤＰＡＯ）、ジフェニルアルシン酸（ＤＰＡＡ）およびフェニルアルソン酸（ＰＡＡ）から選択される有機砒素化合物を一種以上含んだ有機砒素化合物含有水である。
【００２７】
本発明の形態に係る有機砒素化合物含有水の処理方法は、第１段階において、前記有機砒素化合物含有水１を濃縮手段２によって濃縮して、有機砒素濃縮水３と無害化水４とに分離する。ここで、前記有機砒素濃縮水３の有機砒素化合物濃度を、１００〜１０００ｍｇ／Ｌ前後に濃縮することにより、前記無害化水４に含まれる有機砒素化合物濃度を、分析下限値（０．００２ｍｇ／Ｌ）以下になるまで濃縮することが肝要である。
【００２８】
その点から、前記濃縮手段２は、凝集沈殿法もしくは逆浸透膜分離法が砒素の除去率が高く、比較的微量の砒素も除去できる点で好ましい。ここで、凝集沈殿法とは、鉄塩、マグネシウム塩あるいはアルミニウム塩等の凝集剤を原水に添加して、有機砒素化合物を含む難溶性の砒素化合物を形成させるものである。
【００２９】
そして次に、この難溶性砒素化合物が重力沈降することにより、沈殿物を含む有機砒素濃縮水とそれ以外の水（ここでいう無害化水）とに分離する濃縮法をいう。前記凝集剤としては、特に鉄塩を添加すると、鉄と砒素の難溶性砒素化合物が生成され、砒素の除去率が高いことから最も好ましい。
【００３０】
また、前記逆浸透膜分離法とは、原水を逆浸透膜を利用して加圧処理することにより、逆浸透現象によって透過水（ここでいう無害化水）と有機砒素濃縮水に分離する濃縮法である。
このような濃縮手段２によって濃縮処理された前記有機砒素濃縮水３の水量は、通常濃縮処理前の原水量の１／１０〜１／１００の水量に低減される。また、前記無害化水４は、前述の通り分析下限値以下としているので、そのまま環境放出８可能である。
【００３１】
次いで、本発明の形態に係る有機砒素化合物含有水の処理方法は、第２段階において、前記有機砒素濃縮水３を、沈殿物とともに酸化剤を用いた化学的酸化手段５によって酸化分解する。この化学的酸化手段５は、後述するような酸化剤を用いた酸化分解処理であって、温度７５〜１００℃にて加温処理するのが酸化反応を促進する上で好ましい。また、温度９０〜１００℃にて加温処理するのが更に好ましい。
【００３２】
このような化学的酸化手段５に用いる酸化剤としては、下記のＡとＢの両者からなることが有機砒素化合物の酸化分解効率上好ましい。
Ａ．過硫酸ナトリウム
Ｂ．アルカリ金属の水酸化物水溶液またはアルカリ土類金属の水酸化物水溶液
ここでいうアルカリ金属の水酸化物とは、水酸化ナトリウムや水酸化カリウム等をいい、アルカリ土類金属の水酸化物とは、水酸化カルシウム等をいう。
【００３３】
また、前記酸化剤としては、過酸化水素と二価の鉄イオンとの組み合わせであっても好ましい。前記二価の鉄イオンとしては、硫酸第一鉄、塩化第一鉄あるいは硝酸第一鉄等が好ましい。また、このような酸化分解処理時においては、酸化剤を添加した前記濃縮水を適切な温度に加温するとともに、この濃縮水を撹拌機によって撹拌しつつ酸化促進させることが肝要である。
【００３４】
このような酸化分解処理により、前記有機砒素濃縮水３の有機砒素濃度を分析下限値０．００２ｍｇ／Ｌ以下にまで分解処理する。前記酸化分解処理後の無機処理水６の無機砒素濃度は３００ｍｇ／Ｌ程度となり、この処理水を一般的な凝集沈殿法７によって砒素を沈降分離させることにより、処理水の無機砒素濃度を環境基準値０．０１ｍｇ／Ｌ以下の無害化水４ａにして環境放出８できるようにした。
【００３５】
本発明において、有機砒素化合物および無機砒素の濃度は、ＬＣ−ＩＣＰ／ＭＳ（高速液体クラマトグラフ−高周波プラズマ／質量分析装置）により定量を行った。測定条件としては表１に従った。尚、この分析装置による有機砒素化合物濃度の分析下限値は、０．００２ｍｇ／Ｌである。
【００３６】
【表１】
2007038113.tif 000008
【００３７】
以上のような本発明の実施の形態に係る有機砒素化合物含有水の処理方法によれば、前記有機砒素化合物含有水を濃縮手段により濃縮して、有機砒素濃縮水と無害化水とに分離する第１段階の濃縮処理によって大部分の水は無害な水とし、第２段階で、前記濃縮水を加温下の化学的酸化手段によって砒素が無機化するため、有機砒素化合物を含む全量の水の毒性を確実に除去することができる。
【００３８】
また、前記第１段階の濃縮手段によって分離された濃縮水の量は、濃縮処理前の原水量の１／１０〜１／１００の水量に低減されるため、第２段階における濃縮水の加熱エネルギーも、直接原水を加熱して酸化分解する場合に比較して１／１０〜１／１００のエネルギー量に低減され、同様に化学的酸化処理に要する酸化剤コストも大幅に低減できる。
【００３９】
次に、本発明に係る有機砒素化合物含有水の処理方法に関する実施例１乃至５を、経時的なＤＰＡＡ濃度分析結果を示す図２および図３を用いて以下説明する。また、併せて比較例１および２を、経時的なＤＰＡＡ除去率を示す図４および経時的なＤＰＡＡ濃度分析結果を示す図５を用いて以下説明する。
＜実施例１＞
【００４０】
ＤＰＡＡ濃度とＳＳ濃度が、ともに１００ｍｇ／Ｌの混合汚染水（原水）１０Ｌを模擬的に作成し、この原水を逆浸透膜分離法によって濃縮して、９ＬのＤＰＡＡ分析下限値以下の無害化水と、ＤＰＡＡ濃度１０００ｍｇ／Ｌの有機砒素化合物濃縮水１Ｌとに分離した。
【００４１】
次に、前記有機砒素化合物濃縮水１Ｌに、濃度２０％の水酸化ナトリウム水溶液２．５Ｌ，濃度３０％の過硫酸ナトリウム水溶液２．５Ｌを加え、撹拌しながら温度９０℃に加温して３時間酸化分解処理した。その結果、ＤＰＡＡ濃度は分析下限値以下に低下し、無機砒素濃度３００ｍｇ／Ｌの処理液６Ｌを生成した。この処理液に鉄イオンを添加して、凝集沈殿法によって無機砒素を分離した。
＜実施例２＞
【００４２】
ＤＰＡＡ濃度１００ｍｇ／Ｌの有機砒素化合物含有水（原水）１０Ｌを模擬的に作成し、この原水を逆浸透膜分離法によって濃縮して、９ＬのＤＰＡＡ分析下限値以下の無害化水と、ＤＰＡＡ濃度１０００ｍｇ／Ｌの有機砒素化合物濃縮水１Ｌとに分離した。
【００４３】
次に、前記有機砒素化合物濃縮水１Ｌに、濃度２０％の水酸化ナトリウム水溶液２．５Ｌ，濃度３０％の過硫酸ナトリウム水溶液２．５Ｌを加え、撹拌しながら温度９０℃に加温して３時間酸化分解処理した。その結果、ＤＰＡＡ濃度は分析下限値以下に低下し、無機砒素濃度３００ｍｇ／Ｌの処理液６Ｌを生成した。この処理液に鉄イオンを添加して、凝集沈殿法によって無機砒素を分離した。
＜実施例３＞
【００４４】
ＤＰＡＡ濃度３５０ｍｇ／Ｌの有機砒素化合物濃縮水３００ｍＬを模擬的に作成した。この模擬的濃縮水に、濃度３０％の過酸化水素水溶液３０ｍＬと硫酸第一鉄０．０５ｇを加え、撹拌しながら温度８０℃に加温して酸化分解処理し、ＤＰＡＡ濃度の経時的変化を測定した。結果を図２に示す。ＤＰＡＡ濃度は２５時間経過後、分析下限値以下に低下した。
＜実施例４＞
【００４５】
ＤＰＡＡ濃度３５０ｍｇ／Ｌの有機砒素化合物濃縮水３００ｍＬを模擬的に作成し、この模擬的濃縮水に、濃度３０％の過酸化水素水溶液３０ｍＬと硫酸第一鉄０．０５ｇを加え、撹拌しながら温度９０℃に加温して酸化分解処理し、ＤＰＡＡ濃度の経時的変化を測定した。結果を図３に示す。ＤＰＡＡ濃度は５時間経過後、分析下限値以下に低下した。
＜実施例５＞
【００４６】
ＤＰＡＡ濃度３５０ｍｇ／Ｌの有機砒素化合物濃縮水２００ｍＬを模擬的に作成し、この模擬的濃縮水に、濃度３０％の過硫酸ナトリウム水溶液を１００ｍＬ加え、更に濃度２０％の水酸化ナトリウム水溶液６０ｍＬを加え、撹拌しながら温度９０℃に加温して酸化分解処理し、ＤＰＡＡ濃度の経時的変化を測定した。ＤＰＡＡ濃度は２時間経過後、分析下限値以下に低下した。
＜比較例１＞
【００４７】
ＤＰＡＡ濃度とＳＳ濃度が、ともに１００ｍｇ／Ｌの混合汚染水（原水）１０Ｌを模擬的に作成した。この原水に、水中オゾン濃度が２０ｍｇ／Ｌに維持されるようオゾン処理した場合と、前記濃度のオゾンを供給しながら、水中に浸漬させた紫外線ランプにより３５ｗの紫外線を照射して酸化分解処理した場合について、ＤＰＡＡ濃度の経時的変化を測定した。
【００４８】
ＤＰＡＡ除去率の経時的変化を図４に示す。オゾンのみの場合は２０分の処理によっても、紫外線照射を併用した場合は１０分の処理でも、ＤＰＡＡ除去率は８０％程度にしか至らず、ＤＰＡＡ濃度は１０ｍｇ／Ｌ以上残存しており、有機砒素化合物の低減効果は小さい。
＜比較例２＞
【００４９】
ＤＰＡＡ濃度１０００ｍｇ／Ｌの有機砒素化合物濃縮水３００ｍＬを模擬的に作成し、この模擬的濃縮水に、濃度３０％の過酸化水素水溶液３０ｍＬと硫酸第一鉄０．０５ｇを加え、撹拌しながら温度４０℃に加温して酸化分解処理し、ＤＰＡＡ濃度の経時的変化を測定した。結果を図５に示す。ＤＰＡＡ濃度は２０時間経過しても、１００ｍｇ／Ｌ以上であった。
【００５０】
以上のような有機砒素化合物含有水の処理方法によれば、化学兵器由来の前記有機砒素化合物含有水を濃縮手段により濃縮して、有機砒素濃縮水と無害化水とに分離する第１段階の濃縮処理によって、前記濃縮水を除く大部分の水は無害な水となる。そして、第２段階で、前記有機砒素を多量に含有した濃縮水を、加温下の化学的酸化手段によって砒素を無機化するため、有機砒素化合物を含む全量の水の毒性を確実に除去することができる。
【００５１】
また、前記第１段階の濃縮手段によって分離された濃縮水の量は、濃縮処理前の原水量の１／１０〜１／１００の水量に低減されるため、第２段階における濃縮水の加熱エネルギーも、原水を加熱する場合に比較して１／１０〜１／１００のエネルギー量に低減され、同様に化学的酸化処理に要する酸化剤コストも大幅に低減できるのである。
【００５２】
更に、本発明の請求項２および３に係る有機砒素化合物含有水の処理方法によれば、前記有機砒素化合物含有水を濃縮する上で、有効な濃縮手段を具体的に特定した。
【００５３】
更にまた、本発明の請求項４および５に係る有機砒素化合物含有水の処理方法によれば、前記有機砒素濃縮水を化学的酸化処理する上で、有効な酸化剤を具体的に特定した。
【図面の簡単な説明】
【００５４】
【図１】本発明の実施の形態に係る有機砒素化合物含有水の処理方法を示すフロー図である。
【図２】実施例３の経時的なＤＰＡＡ濃度分析結果を示す図である。
【図３】実施例４の経時的なＤＰＡＡ濃度分析結果を示す図である。
【図４】比較例１の経時的なＤＰＡＡ除去率を示す図である。
【図５】比較例２の経時的なＤＰＡＡ濃度分析結果を示す図である。
【符号の説明】
【００５５】
１…有機砒素化合物含有水（原水），２…濃縮手段，３…有機砒素濃縮水，
４，４ａ…無害化水，
５…化学的酸化手段，６…無機砒素水，７…凝集沈殿法，８…環境放出
【図１】
2007038113.tif 000014
【図２】
2007038113.tif 000015
【図３】
2007038113.tif 000016
【図４】
2007038113.tif 000017
【図５】
2007038113.tif 000018